(57)【要約】      （修正有）【課題】管理対象の所在を把握しやすくする。【解決手段】所在管理システムは、携帯端末と、情報処理装置とを含む。携帯端末は、周囲から受信した第１ビーコン信号から、管理対象に付された送信機の第１ビーコンＩＤ（IDentifier）を抽出する抽出部と、第１ビーコンＩＤを抽出した場合に、周囲から受信した第２ビーコン信号から抽出した、所定場所に設置された送信機の第２ビーコンＩＤと、第１ビーコンＩＤとを含む情報を、情報処理装置宛に送信する送信部とを有する。また、情報処理装置は、上記情報を受信する受信部と、受信した情報に含まれる第１ビーコンＩＤに基づいて特定される管理対象と、受信した情報に含まれる第２ビーコンＩＤに基づいて特定される所定場所とを表すデータを出力する出力部とを有する。【選択図】図１７
2019075674.tif 000002
【特許請求の範囲】
【請求項１】
携帯端末と、情報処理装置とを含む所在管理システムであって、
前記携帯端末は、
周囲から受信した第１ビーコン信号から、管理対象に付された送信機の第１ビーコンＩＤ（IDentifier）を抽出する抽出部と、
前記第１ビーコンＩＤを抽出した場合に、周囲から受信した第２ビーコン信号から抽出した、所定場所に設置された送信機の第２ビーコンＩＤと、前記第１ビーコンＩＤとを含む情報を、前記情報処理装置宛に送信する送信部と
を有し、
前記情報処理装置は、
前記情報を受信する受信部と、
受信した前記情報に含まれる前記第１ビーコンＩＤに基づいて特定される前記管理対象と、受信した前記情報に含まれる前記第２ビーコンＩＤに基づいて特定される前記所定場所とを表すデータを出力する出力部と
を有する所在管理システム。
【請求項２】
携帯端末と、情報処理装置とを含む所在管理システムであって、
前記携帯端末は、
周囲から受信した第１ビーコン信号から、複数の所定場所に設置された送信機の第１ビーコンＩＤ（IDentifier）のいずれにも該当しない第２ビーコンＩＤを抽出する抽出部と、
前記第２ビーコンＩＤを抽出した場合に、周囲から受信した第２ビーコン信号から抽出した前記第１ビーコンＩＤと、前記第２ビーコンＩＤとを含む情報を、前記情報処理装置宛に送信する送信部と
を有し、
前記情報処理装置は、
前記情報を受信する受信部と、
受信した前記情報に含まれる前記第２ビーコンＩＤの送信機が付された管理対象を特定する特定部と、
受信した前記情報に含まれる前記第１ビーコンＩＤに基づいて特定される前記所定場所と前記管理対象とを表すデータを出力する出力部と
を有する所在管理システム。
【請求項３】
携帯端末と、情報処理装置とを含む所在管理システムであって、
前記情報処理装置は、
確認対象に付された送信機の第１ビーコンＩＤ（IDentifier）を含む確認要求を前記携帯端末宛に送信する送信部
を有し、
前記携帯端末は、
前記確認要求を受信する受信部と、
周囲から受信したビーコン信号から、前記確認要求に含まれる前記第１ビーコンＩＤを抽出する抽出部と、
前記第１ビーコンＩＤを抽出した場合に、周囲から受信したビーコン信号から抽出した、所定場所に設置された送信機の第２ビーコンＩＤを含む情報を、前記情報処理装置宛に送信する送信部と
を有し、
前記情報処理装置は、更に、
前記情報を受信する受信部と、
受信した前記情報に含まれる前記第２ビーコンＩＤに基づいて特定される前記所定場所を表すデータを出力する出力部と
を有する所在管理システム。
【請求項４】
前記情報処理装置は、更に、
保守点検期限に基づいて前記確認対象を選別する選別部
を有する請求項３記載の所在管理システム。
【請求項５】
周囲から受信した第１ビーコン信号から、管理対象に付された送信機の第１ビーコンＩＤ（IDentifier）を抽出し、
前記第１ビーコンＩＤを抽出した場合に、周囲から受信した第２ビーコン信号から抽出した、所定場所に設置された送信機の第２ビーコンＩＤと、前記第１ビーコンＩＤとを含む情報を、情報処理装置宛に送信する
処理をプロセッサに実行させるプログラム。
【請求項６】
周囲から受信した第１ビーコン信号から、複数の所定場所に設置された送信機の第１ビーコンＩＤ（IDentifier）のいずれにも該当しない第２ビーコンＩＤを抽出し、
前記第２ビーコンＩＤを抽出した場合に、周囲から受信した第２ビーコン信号から抽出した前記第１ビーコンＩＤと、前記第２ビーコンＩＤとを含む情報を、情報処理装置宛に送信する
処理をプロセッサに実行させるプログラム。
【請求項７】
第１ビーコンＩＤ（IDentifier）と第２ビーコンＩＤとを含む情報を受信し、
受信した前記情報に含まれる前記第１ビーコンＩＤに基づいて特定される管理対象と、受信した前記情報に含まれる前記第２ビーコンＩＤに基づいて特定される所定場所とを表すデータを出力する
処理をコンピュータに実行させるプログラム。
【発明の詳細な説明】
【技術分野】
【０００１】
本発明は、管理対象の所在を検知する技術に関する。
【背景技術】
【０００２】
例えば病院では、様々な機器が使用される。これらの機器は、病院の各部門で共用される。従って、必ずしも同じ場所で使い続けられるとは限らない。
【０００３】
機器の管理部門では、各機器の貸出を管理する。機器を借りた部門で使用を終えた段階で、管理部門へ当該機器を返却するように運用すれば、貸し出した機器の所在を管理しやすい。しかし、使用した都度機器を返却することは、移動や手続きの面で煩わしい。
【０００４】
従って、現場において適宜機器を使用し、且つその所在を管理者が常時把握できるようにすることが望ましい。
【先行技術文献】
【特許文献】
【０００５】
【特許文献１】特開２００６−１３９５９６号公報
【特許文献２】特開２００８−２８３２４２号公報
【特許文献３】特開２０１６−０４５１２７号公報
【発明の概要】
【発明が解決しようとする課題】
【０００６】
本発明の目的は、一側面では、管理対象の所在を把握しやすくすることである。
【課題を解決するための手段】
【０００７】
一態様に係る所在管理システムは、携帯端末と、情報処理装置とを含む。上記携帯端末は、周囲から受信した第１ビーコン信号から、管理対象に付された送信機の第１ビーコンＩＤ（IDentifier）を抽出する抽出部と、第１ビーコンＩＤを抽出した場合に、周囲から受信した第２ビーコン信号から抽出した、所定場所に設置された送信機の第２ビーコンＩＤと、第１ビーコンＩＤとを含む情報を、上記情報処理装置宛に送信する送信部とを有する。また、上記情報処理装置は、上記情報を受信する受信部と、受信した上記情報に含まれる第１ビーコンＩＤに基づいて特定される管理対象と、受信した上記情報に含まれる第２ビーコンＩＤに基づいて特定される所定場所とを表すデータを出力する出力部とを有する。
【０００８】
更に、一態様に係る所在管理システムは、携帯端末と、情報処理装置とを含む。上記携帯端末は、周囲から受信した第１ビーコン信号から、複数の所定場所に設置された送信機の第１ビーコンＩＤ（IDentifier）のいずれにも該当しない第２ビーコンＩＤを抽出する抽出部と、第２ビーコンＩＤを抽出した場合に、周囲から受信した第２ビーコン信号から抽出した第１ビーコンＩＤと、第２ビーコンＩＤとを含む情報を、上記情報処理装置宛に送信する送信部とを有する。また、上記情報処理装置は、上記情報を受信する受信部と、受信した上記情報に含まれる第２ビーコンＩＤの送信機が付された管理対象を特定する特定部と、受信した上記情報に含まれる第１ビーコンＩＤに基づいて特定される所定場所と管理対象とを表すデータを出力する出力部とを有する。
【０００９】
更に、一態様に係る所在管理システムは、携帯端末と、情報処理装置とを含む。上記情報処理装置は、確認対象に付された送信機の第１ビーコンＩＤ（IDentifier）を含む確認要求を上記携帯端末宛に送信する送信部を有する。上記携帯端末は、確認要求を受信する受信部と、周囲から受信したビーコン信号から、確認要求に含まれる第１ビーコンＩＤを抽出する抽出部と、第１ビーコンＩＤを抽出した場合に、周囲から受信したビーコン信号から抽出した、所定場所に設置された送信機の第２ビーコンＩＤを含む情報を、上記情報処理装置宛に送信する送信部とを有する。また、上記情報処理装置は、更に、上記情報を受信する受信部と、受信した上記情報に含まれる第２ビーコンＩＤに基づいて特定される所定場所を表すデータを出力する出力部とを有する。
【発明の効果】
【００１０】
一側面としては、管理対象の所在を把握しやすくなる。
【図面の簡単な説明】
【００１１】
【図１】図１は、ネットワーク構成例を示す図である。
【図２】図２は、機器を検知する様子を示す図である。
【図３】図３は、携帯端末のハードウエア構成例を示す図である。
【図４】図４は、レイアウト画面の例を示す図である。
【図５】図５は、携帯端末のモジュール構成例を示す図である。
【図６】図６は、位置ビーコンリストの例を示す図である。
【図７】図７は、機器ビーコンリストの例を示す図である。
【図８】図８は、検知結果テーブルの例を示す図である。
【図９】図９は、携帯端末の処理フローを示す図である。
【図１０】図１０は、携帯端末の処理フローを示す図である。
【図１１】図１１は、携帯端末の処理フローを示す図である。
【図１２】図１２は、サーバのモジュール構成例を示す図である。
【図１３】図１３は、配置テーブルの例を示す図である。
【図１４】図１４は、機器テーブルの例を示す図である。
【図１５】図１５は、検知履歴テーブルの例を示す図である。
【図１６】図１６は、収集処理フローを示す図である。
【図１７】図１７は、提供処理フローを示す図である。
【図１８】図１８は、管理者端末のモジュール構成例を示す図である。
【図１９】図１９は、管理者端末の処理フローを示す図である。
【図２０】図２０は、実施の形態２における管理者端末の処理フローを示す図である。
【図２１】図２１は、実施の形態２におけるサーバの処理フローを示す図である。
【図２２】図２２は、実施の形態２における機器テーブルの例を示す図である。
【図２３】図２３は、点検対象リストの例を示す図である。
【図２４】図２４は、選別処理フローを示す図である。
【図２５】図２５は、実施の形態２におけるサーバの処理フローを示す図である。
【図２６】図２６は、実施の形態２における携帯端末の処理フローを示す図である。
【図２７】図２７は、コンピュータの機能ブロック図である。
【発明を実施するための形態】
【００１２】
［実施の形態１］
病院内で使用される機器の所在を管理するシステムの例について説明する。図１に、ネットワーク構成例を示す。携帯端末１０１ａ乃至ｄは、病院に勤務する職員が保持する端末である。職員は、例えば医師、看護師、技師及び事務員などである。携帯端末１０１ａ乃至ｄは、例えばスマートフォンやタブレット端末である。携帯端末１０１ａ乃至ｄは、病院内に設置されたＬＡＮ（Local Area Network）と無線を介して接続することができる。
【００１３】
携帯端末１０１は、病院内で使用される機器を検知する機能を有している。図２に、携帯端末１０１ａが機器を検知する様子を示す。機器は、例えば人口呼吸器、輸液ポンプ、シリンジポンプ又は除細動器などである。機器には、近距離無線方式（例えば、ＢＬＥ（Bluetooth（登録商標） Low Energy）方式）による無線電波を送信するビーコン送信機２０１が付されている。ビーコン送信機２０１は、ビーコン送信機２０１固有のビーコンＩＤを含むビーコン信号を周期的に送信する。この例では、職員の近くにある機器にビーコン送信機２０１ａが付されているものとする。ビーコン送信機２０１は、タグと呼ばれることがある。
【００１４】
また、病院内には、複数のビーコン送信機２０１が設置されている。ビーコン送信機２０１は固定されており、病院内の場所を特定するために用いられる。このビーコン送信機２０１も、上記近距離無線方式による無線電波を送信する。また、このビーコン送信機２０１も、ビーコン送信機２０１固有のビーコンＩＤを含むビーコン信号を周期的に送信する。この例では、職員の近くの壁面にビーコン送信機２０１ｂが付されているものとする。尚、病院内の全域が、病院内に設置されたいずれかのビーコン送信機２０１が送信するビーコン信号の到達エリアでカバーされているものとする。
【００１５】
また、携帯端末１０１ａは、上記近距離無線方式による無線電波を受信する機能を有している。職員が図示した機器に近づくと、当該職員が保持する携帯端末１０１ａは、ビーコン送信機２０１ａから送信されるビーコン信号を受信し、当該ビーコン信号からビーコン送信機２０１ａのビーコンＩＤを抽出する。また、携帯端末１０１ａは、ビーコン送信機２０１ｂから送信されるビーコン信号を受信し、当該ビーコン信号からビーコン送信機２０１ｂのビーコンＩＤを抽出する。これらのビーコンＩＤを対応付けることによって、当該機器がビーコン送信機２０１ｂの設置場所の近くにあることが明らかになる。
【００１６】
図３に、携帯端末１０１のハードウエア構成例を示す。携帯端末１０１は、ＣＰＵ（Central Processing Unit）３０１、記憶回路３０３、第１無線通信用アンテナ３１１、第１無線通信制御回路３１３、第２無線通信用アンテナ３１５、第２無線通信制御回路３１７、第３無線通信用アンテナ３１９、第３無線通信制御回路３２１、ＬＣＤ（Liquid Crystal Display）制御回路３３１、ＬＣＤ３３３、タッチセンサ３３５、キー群３３７、ＧＰＳ（Global Positioning System）装置３３９及びタイマー回路３４１を有する。
【００１７】
ＣＰＵ３０１は、記憶回路３０３に記憶されているプログラムを実行する。記憶回路３０３は、例えば、ＲＯＭ（Read Only Memory）３０５とＲＡＭ（Random Access Memory）３０７とフラッシュメモリ３０９とを有している。ＲＯＭ３０５は、例えば基礎的なプログラムや初期データを格納している。ＲＡＭ３０７は、プログラムを展開する領域を含んでいる。ＲＡＭ３０７は、一時的なデータを格納する領域も含んでいる。フラッシュメモリ３０９は、例えば、アプリケーションなどのプログラムやユーザデータを格納している。
【００１８】
ＬＣＤ制御回路３３１は、所定の動作周波数でクロック回路を動作させ、ＬＣＤ３３３を駆動させる。ＬＣＤ３３３は、各種画面を表示する。タッチセンサ３３５は、例えば、ＬＣＤ３３３の表示面上に配置されたパネル状のセンサであり、タッチ操作による指示を受け付ける。具体的には、ＬＣＤ３３３とタッチセンサ３３５とを一体としたタッチパネルとして用いられる。キー群３３７の各ハードキーは、筐体の一部に設けられている。
【００１９】
第１無線通信用アンテナ３１１は、セルラー方式による無線電波を送受信する。第１無線通信制御回路３１３は、セルラー方式における使用周波数に応じて無線通信の制御を行う。第２無線通信用アンテナ３１５は、無線ＬＡＮ方式による無線電波を送受信する。第２無線通信制御回路３１７は、無線ＬＡＮ方式における使用周波数に応じて無線通信の制御を行う。第３無線通信用アンテナ３１９は、上記近距離通信方式による無線電波を送受信する。第３無線通信制御回路３２１は、当該方式における使用周波数に応じて無線通信の制御を行う。
【００２０】
ＧＰＳ装置３３９は、自らの地理的位置を計測する。タイマー回路３４１は、日及び時間を計測する。
【００２１】
図１の説明に戻る。この例で、ＬＡＮは、インターネットを介してサーバ１０３と接続している。尚、サーバ１０３を、ＬＡＮに設けるようにしてもよい。サーバ１０３は、クラウドサーバと呼ばれることもある。サーバ１０３は、病院内で使用される機器の所在を管理する。また、携帯端末１０１は、ＬＡＮを介さずに、セルラー方式通信によって移動体通信網を介してサーバ１０３と接続するようにしてもよい。
【００２２】
図２に示した例の場合、携帯端末１０１ａは、機器に付されたビーコン送信機２０１ａのビーコンＩＤと所定場所に設置されたビーコン送信機２０１ｂのビーコンＩＤとを対応付けた情報を、サーバ１０３宛に送信する。
【００２３】
サーバ１０３は、携帯端末１０１ａ乃至ｄから収集したビーコンＩＤを対応付ける情報に基づいて、機器の所在を表すレイアウト画面を生成する。図４に、レイアウト画面の例を示す。サーバ１０３は、病院内のレイアウト画像において、例えばビーコン送信機２０１ｂのビーコンＩＤに基づいて特定される位置に、ビーコン送信機２０１ａのビーコンＩＤに基づいて特定される機器を識別するアイコンを貼り付ける。アイコンには、例えば機器の名称が表されている。各機器に関して最新の検知結果に基づいて、アイコンを貼り付ければ、現状における各機器の所在を示すことができる。
【００２４】
サーバ１０３は、このレイアウト画像をＬＡＮに接続している管理者端末１０５宛に送信する。管理者端末１０５は、受信したレイアウト画像を表示する。管理者端末１０５を使用する機器の管理者は、当該レイアウト画面を見て、各機器の所在を確認することができる。
【００２５】
このようにすれば、機器の使用を終えた時点で保管部屋に機器を戻さなくとも、管理者は、機器の存在を確認することができるようになる。以上で、本実施の形態における概要の説明を終える。以下、各装置の動作について説明する。
【００２６】
まず、携帯端末１０１の動作について説明する。図５に、携帯端末１０１のモジュール構成例を示す。携帯端末１０１は、制御部５０１、ビーコン受信部５０３、抽出部５０５、生成部５０７、送信部５０９及び受信部５１１を有する。
【００２７】
制御部５０１は、携帯端末１０１の処理を制御する。ビーコン受信部５０３は、周囲のビーコン信号を受信する。抽出部５０５は、ビーコン信号からビーコンＩＤを抽出する。生成部５０７は、検知結果テーブルを生成する。送信部５０９は、各種データを送信する。具体的には、実施の形態１で、送信部５０９は、検知結果テーブル及び携帯端末１０１自身の携帯端末ＩＤをサーバ１０３宛に送信する。実施の形態２で、送信部５０９は、検知通知をサーバ１０３宛に送信する。受信部５１１は、各種データを受信する。具体的には、実施の形態２で、送信部５０９は、サーバ１０３から送られた点検対象リストを受信する。
【００２８】
尚、実施の形態２では、管理対象の各機器が、周期的に保守点検を受けるものと想定して、保守点検間近の機器に限ってその所在を示すレイアウト画像を生成する例について説明する。
【００２９】
携帯端末１０１は、更にリスト記憶部５２１及び検知結果記憶部５２３を有する。リスト記憶部５２１は、各種リストを記憶する。具体的には、実施の形態１で、リスト記憶部５２１は、位置ビーコンリスト及び機器ビーコンリストを記憶する。位置ビーコンリスト及び機器ビーコンリストは、準備段階でサーバ１０３から取得しておくものとする。位置ビーコンリストについては、図６を用いて後述する。機器ビーコンリストについては、図７を用いて後述する。また、実施の形態２で、リスト記憶部５２１は、点検対象リストを記憶する。点検対象リストについては、図２３を用いて後述する。検知結果記憶部５２３は、検知結果テーブルを記憶する。検知結果テーブルについては、図８を用いて後述する。
【００３０】
上述した制御部５０１、ビーコン受信部５０３、抽出部５０５、生成部５０７、送信部５０９、及び受信部５１１は、ハードウエア資源（例えば、図３）と、以下で述べる処理をＣＰＵ３０１に実行させるプログラムとを用いて実現される。
【００３１】
上述したリスト記憶部５２１及び検知結果記憶部５２３は、ハードウエア資源（例えば、図３）を用いて実現される。
【００３２】
図６に、位置ビーコンリストの例を示す。位置ビーコンリストには、病院内に設置された各ビーコン送信機２０１のビーコンＩＤ、つまり当該ビーコン送信機２０１から送信されるビーコン信号に含まれるビーコンＩＤが設定されている。当該ビーコンＩＤを、位置ビーコンＩＤという。
【００３３】
図７に、機器ビーコンリストの例を示す。機器ビーコンリストには、病院内で使用される管理対象の各機器に付されたビーコン送信機２０１のビーコンＩＤ、つまり当該ビーコン送信機２０１から送信されるビーコン信号に含まれるビーコンＩＤが設定されている。当該ビーコンＩＤを、機器ビーコンＩＤという。
【００３４】
図８に、検知結果テーブルの例を示す。この例における検知結果テーブルは、検知結果に対応するレコードを有している。検知結果テーブルのレコードは、検知日時が設定されるフィールドと、機器ビーコンＩＤが設定されるフィールドと、位置ビーコンＩＤが設定されるフィールドとを有している。
【００３５】
検知日時は、機器を検知した時点を特定する。機器ビーコンＩＤは、機器の検知の根拠となったビーコンＩＤであって、検知された機器に付されたビーコン送信機２０１が送信したビーコン信号に含まれるビーコンＩＤである。位置ビーコンＩＤは、機器を検知したタイミングで、施設内に設置されたビーコン送信機２０１から受信したビーコン信号に含まれるビーコンＩＤである。
【００３６】
図９に、携帯端末１０１の処理フローを示す。制御部５０１は、経過時間の計測を開始する（Ｓ９０１）。制御部５０１は、経過時間が基準を超えたか否かを判定する（Ｓ９０３）。当該基準は、携帯端末１０１からサーバ１０３へ情報を送信する間隔に相当する。例えば、当該基準は１分である。
【００３７】
経過時間が基準を超えていないと判定した場合には、抽出部５０５は、ビーコン受信部５０３がビーコン信号を受信したか否かを判定する（Ｓ９０５）。ビーコン受信部５０３がビーコン信号を受信していないと判定した場合には、Ｓ９０３に示した処理に戻って、上述した処理を繰り返す。
【００３８】
一方、ビーコン受信部５０３がビーコン信号を受信したと判定した場合には、抽出部５０５は、受信したビーコン信号からビーコンＩＤを抽出する（Ｓ９０７）。
【００３９】
抽出部５０５は、抽出したビーコンＩＤが機器ビーコンＩＤであるか否かを判定する（Ｓ９０９）。具体的には、抽出部５０５は、抽出したビーコンＩＤが機器ビーコンリストに含まれるいずれかの機器ビーコンＩＤと一致するか否かを判定する。
【００４０】
但し、Ｓ９０９において、抽出部５０５は、抽出したビーコンＩＤが位置ビーコンリストに含まれる位置ビーコンＩＤのいずれとも一致しない場合に、抽出したビーコンＩＤが機器ビーコンＩＤであると見做すようにしてもよい。また、Ｓ９０９において、抽出部５０５は、抽出したビーコンＩＤが位置ビーコンリストに含まれる位置ビーコンＩＤのいずれかと一致する場合に、抽出したビーコンＩＤが機器ビーコンＩＤでないと見做すようにしてもよい。この方式の場合には、機器ビーコンリストを省くようにしてもよい。
【００４１】
抽出したビーコンＩＤが機器ビーコンＩＤでないと判定した場合には、Ｓ９０３に示した処理に戻って、上述した処理を繰り返す。
【００４２】
一方、抽出したビーコンＩＤが機器ビーコンＩＤであると判定した場合には、抽出部５０５は、ビーコン受信部５０３がビーコン信号を受信したか否かを判定する（Ｓ９１１）。ビーコン受信部５０３がビーコン信号を受信していないと判定した場合には、Ｓ９１１に示した処理に戻って、上述した処理を繰り返す。
【００４３】
一方、ビーコン受信部５０３がビーコン信号を受信したと判定した場合には、抽出部５０５は、受信したビーコン信号からビーコンＩＤを抽出する（Ｓ９１３）。
【００４４】
抽出部５０５は、抽出したビーコンＩＤが位置ビーコンＩＤであるか否かを判定する（Ｓ９１５）。具体的には、抽出部５０５は、抽出したビーコンＩＤが位置ビーコンリストに含まれるいずれかの位置ビーコンＩＤと一致するか否かを判定する。
【００４５】
抽出したビーコンＩＤが位置ビーコンＩＤでないと判定した場合には、Ｓ９１１に示した処理に戻って、上述した処理を繰り返す。
【００４６】
一方、抽出したビーコンＩＤが位置ビーコンＩＤであると判定した場合には、端子Ａを介して、図１０に示したＳ１００１の処理に移る。
【００４７】
図１０の説明に移る。生成部５０７は、検知結果テーブルに、Ｓ９０９で一致すると判定した機器ビーコンＩＤ及びＳ９１５で一致すると判定した位置ビーコンＩＤが設定されているレコードがあるか否かを判定する（Ｓ１００１）。
【００４８】
当該機器ビーコンＩＤ及び当該位置ビーコンＩＤが設定されているレコードがないと判定した場合には、生成部５０７は、検知結果テーブルに新しいレコードを設ける（Ｓ１００３）。そして、生成部５０７は、新しいレコードに当該機器ビーコンＩＤ及び当該位置ビーコンＩＤを設定する（Ｓ１００５）。
【００４９】
また、生成部５０７は、タイマー回路３４１で計測される当日日付及び現在時刻を取得し（Ｓ１００７）、取得した当日日付及び現在時刻を、新しいレコードにおける検知日時のフィールドに設定する（Ｓ１００９）。そして、端子Ｂを介して、図９に示したＳ９０３の処理に戻る。
【００５０】
Ｓ１００１において、当該機器ビーコンＩＤ及び当該位置ビーコンＩＤが設定されているレコードがあると判定した場合には、生成部５０７は、タイマー回路３４１で計測される当日日付及び現在時刻を取得し（Ｓ１０１１）、生成部５０７は、取得した当日日付及び現在時刻を、当該レコードにおける検知日時のフィールドに設定する（Ｓ１０１３）。つまり、検知日時が更新される。そして、端子Ｂを介して、図９に示したＳ９０３の処理に戻る。
【００５１】
図９の説明に戻る。Ｓ９０３において、経過時間が基準を超えていると判定した場合には、端子Ｃを介して、図１１に示したＳ１１０１の処理に移る。
【００５２】
図１１の説明に移る。制御部５０１は、検知結果テーブルに１以上のレコードがあるか否かを判定する（Ｓ１１０１）。検知結果テーブルに１つもレコードがないと判定した場合には、端子Ｄを介して、図９に示したＳ９０１の処理に戻る。
【００５３】
検知結果テーブルに１以上のレコードがあると判定した場合には、送信部５０９は、検知結果テーブル及び携帯端末１０１自身の携帯端末ＩＤを、サーバ１０３宛に送信する（Ｓ１１０３）。そして、生成部５０７は、検知結果テーブルのレコードを削除して（Ｓ１１０５）、端子Ｄを介して、図９に示したＳ９０１の処理に戻る。以上で、携帯端末１０１の動作についての説明を終える。
【００５４】
次に、サーバ１０３の動作について説明する。図１２に、サーバ１０３のモジュール構成例を示す。サーバ１０３は、受信部１２０１、記録処理部１２０３、特定部１２０５、画像生成部１２０７、送信部１２０９及び選別部１２１１を有する。
【００５５】
受信部１２０１は、各種データを受信する。具体的には、受信部１２０１は、管理者端末１０５から所在確認の要求を受信する。記録処理部１２０３は、検知履歴テーブルに検知履歴を記録する。特定部１２０５は、例えば機器の所在を特定する。画像生成部１２０７は、機器のアイコンが貼り付けられたレイアウト画像を生成する。送信部１２０９は、各種データを送信する。具体的には、実施の形態１で、送信部１２０９は、レイアウト画像を管理者端末１０５宛に送信する。実施の形態２で、送信部１２０９は、各携帯端末１０１宛に点検対象リストを送信し、更にアイコンが貼り付けられたレイアウト画像及びメッセージを管理者端末１０５宛に送信する。選別部１２１１は、実施の形態２で、保守点検期限が間近の機器を選別する。
【００５６】
サーバ１０３は、更に配置記憶部１２２１、機器記憶部１２２３、検知履歴記憶部１２２５、レイアウト画像記憶部１２２７及びアイコン記憶部１２２９を有する。配置記憶部１２２１は、配置テーブルを記憶する。配置テーブルについては、図１３を用いて後述する。機器記憶部１２２３は、機器テーブルを記憶する。機器テーブルについては、図１４を用いて後述する。検知履歴記憶部１２２５は、検知履歴テーブルを記憶する。検知履歴テーブルについては、図１５を用いて後述する。レイアウト画像記憶部１２２７は、病院内のレイアウト画像を記憶する。アイコン記憶部１２２９は、管理対象の機器を識別するアイコンを記憶する。
【００５７】
上述した受信部１２０１、記録処理部１２０３、特定部１２０５、画像生成部１２０７、送信部１２０９、及び選別部１２１１は、ハードウエア資源（例えば、図２７）と、以下で述べる処理をＣＰＵ２５０３に実行させるプログラムとを用いて実現される。
【００５８】
上述した配置記憶部１２２１、機器記憶部１２２３、検知履歴記憶部１２２５、レイアウト画像記憶部１２２７及びアイコン記憶部１２２９は、ハードウエア資源（例えば、図２７）を用いて実現される。
【００５９】
図１３に、配置テーブルの例を示す。この例における配置テーブルは、病院内に設置されたビーコン送信機２０１に対応するレコードを有している。配置テーブルのレコードは、位置ビーコンＩＤが設定されるフィールドと、設置場所が設定されるフィールドとを有している。
【００６０】
位置ビーコンＩＤは、上述した通り、病院内に設置されたビーコン送信機２０１のビーコンＩＤであって、当該ビーコン送信機２０１が送信するビーコン信号に含まれるビーコンＩＤである。設置場所は、当該ビーコン送信機２０１が設置された場所を座標で示している。但し、設置場所を座標以外で特定するようにしてもよい。
【００６１】
図１４に、機器テーブルの例を示す。この例における機器テーブルは、管理対象の機器に対応するレコードを有している。機器テーブルのレコードは、機器ＩＤが設定されるフィールドと、機器名称が設定されるフィールドと、機器ビーコンＩＤが設定されるフィールドとを有している。
【００６２】
機器ＩＤは、管理対象の機器を特定する。機器名称は、当該機器の名称である。機器ビーコンＩＤは、上述した通り、当該機器に付されたビーコン送信機２０１のビーコンＩＤであって、当該ビーコン送信機２０１が送信するビーコン信号に含まれるビーコンＩＤである。
【００６３】
図１５に、検知履歴テーブルの例を示す。この例における検知履歴テーブルは、いずれかの携帯端末１０１が機器を検知した機会に対応するレコードを有している。検知履歴テーブルのレコードは、検知日時が設定されるフィールドと、機器ビーコンＩＤが設定されるフィールドと、位置ビーコンＩＤが設定されるフィールドと、携帯端末ＩＤが設定されるフィールドとを有している。
【００６４】
検知日時は、上述した通り、機器を検知した時点を特定する。機器ビーコンＩＤは、機器の検知の根拠となったビーコンＩＤであって、検知された機器に付されたビーコン送信機２０１が送信したビーコン信号に含まれるビーコンＩＤである。位置ビーコンＩＤは、機器を検知したタイミングで、施設内に設置されたビーコン送信機２０１から受信したビーコン信号に含まれるビーコンＩＤである。携帯端末ＩＤは、当該機器の検知を行った携帯端末１０１を特定する。
【００６５】
まず、携帯端末１０１から検知結果を収集する処理について説明する。図１６に、収集処理フローを示す。受信部１２０１が携帯端末１０１から検知結果テーブル及び携帯端末ＩＤを受信すると（Ｓ１６０１）、記録処理部１２０３は、受信した検知結果テーブルにおいてレコードを１つ特定して（Ｓ１６０３）、検知履歴テーブルに新しいレコードを設ける（Ｓ１６０５）。
【００６６】
記録処理部１２０３は、新しいレコードに、検知結果テーブルの当該レコードに設定されている検知日時、機器ビーコンＩＤ及び位置ビーコンＩＤと、受信した携帯端末ＩＤとを設定する（Ｓ１６０７）。
【００６７】
記録処理部１２０３は、Ｓ１６０３において未特定のレコードがあるか否かを判定する（Ｓ１６０９）。未特定のレコードがあると判定した場合には、Ｓ１６０３に示した処理に戻って、上述した処理を繰り返す。一方、未特定のレコードがないと判定した場合には、Ｓ１６０１に示した処理に戻って、上述した処理を繰り返す。
【００６８】
続いて、管理者端末１０５からの要求に応じて、機器の所在を表したレイアウト画像を提供する処理について説明する。図１７に、提供処理フローを示す。受信部１２０１が管理者端末１０５から所在確認の要求を受信すると（Ｓ１７０１）、特定部１２０５は、機器を１つ特定する（Ｓ１７０３）。具体的には、特定部１２０５は、機器テーブルのレコードを１つ特定する。
【００６９】
特定部１２０５は、検知履歴テーブルにおいて、当該機器の機器ビーコンＩＤが設定されているレコードのうち、検知日時が最新のレコードを特定する（Ｓ１７０５）。そして、特定部１２０５は、当該レコードから設置場所を読み取る（Ｓ１７０７）。
【００７０】
画像生成部１２０７は、アイコン記憶部１２２９において当該機器のアイコンを特定し（Ｓ１７０９）、画像生成部１２０７は、レイアウト画像記憶部１２２７に記憶されているレイアウト画像における当該設置場所の位置に、当該アイコンを貼り付ける（Ｓ１７１１）。
【００７１】
特定部１２０５は、Ｓ１７０３において未特定の機器があるか否かを判定する（Ｓ１７１３）。未特定の機器があると判定した場合には、Ｓ１７０３に示した処理に戻って、上述した処理を繰り返す。
【００７２】
一方、未特定の機器がないと判定した場合には、送信部１２０９は、アイコンが貼り付けられたレイアウト画像を管理者端末１０５宛に送信する（Ｓ１７１５）。以上で、サーバ１０３の動作についての説明を終える。
【００７３】
続いて、管理者端末１０５の動作について説明する。図１８に、管理者端末１０５のモジュール構成例を示す。管理者端末１０５は、受付部１８０１、送信部１８０３、受信部１８０５及び表示処理部１８０７を有する。
【００７４】
受付部１８０１は、ユーザ操作による所在確認の指示を受け付ける。送信部１８０３は、各種データを送信する。具体的には、送信部１８０３は、所在確認の要求をサーバ１０３宛に送信する。受信部１８０５は、各種データを受信する。具体的には、受信部１８０５は、レイアウト画面及びメッセージを受信する。表示処理部１８０７は、レイアウト画像及びメッセージを表示する。
【００７５】
上述した受付部１８０１、送信部１８０３、受信部１８０５及び表示処理部１８０７は、ハードウエア資源（例えば、図２７）と、以下で述べる処理をＣＰＵ２５０３に実行させるプログラムとを用いて実現される。
【００７６】
図１９に、管理者端末１０５の処理フローを示す。受付部１８０１がユーザ操作による所在確認の指示を受け付けると（Ｓ１９０１）、送信部１８０３は、所在確認の要求をサーバ１０３宛に送信する（Ｓ１９０３）。
【００７７】
受信部１８０５は、サーバ１０３からアイコンが貼り付けられたレイアウト画面を受信すると（Ｓ１９０５）、表示処理部１８０７は、受信した当該レイアウト画面を表示する（Ｓ１９０７）。管理者端末１０５の処理を終える。
【００７８】
本実施の形態によれば、管理対象の所在を把握しやすくなる。
【００７９】
［実施の形態２］
上述した実施の形態では、管理対象であるすべての機器について所在を示すレイアウト画像を生成する例について説明したが、本実施の形態では、保守点検間近の機器に限ってその所在を示すレイアウト画像を生成する例について説明する。この例では、管理対象の各機器は、周期的に保守点検を受けるものと想定する。
【００８０】
まず、管理者端末１０５の処理について説明する。図２０に、実施の形態２における管理者端末１０５の処理フローを示す。ユーザ操作によって、受付部１８０１が点検対象機器に関する所在確認の指示を受け付けると（Ｓ２００１）、送信部１８０３は、点検対象機器に関する所在確認の要求をサーバ１０３宛に送信する（Ｓ２００３）。
【００８１】
サーバ１０３の処理については後述する。ここでは、サーバ１０３において、保守点検間近の機器に関してすべて所在を特定した場合には、完了メッセージがレイアウト画面に付され、また、保守点検間近の機器に関して一部の所在を特定できなかった場合には、完了メッセージがレイアウト画面に付されるものとする。
【００８２】
受信部１８０５がサーバ１０３からレイアウト画面及び完了メッセージを受信したか否かを判定する（Ｓ２００５）。サーバ１０３からレイアウト画面及び完了メッセージを受信したと判定した場合には、受信部１８０５は、受信したレイアウト画面及び完了メッセージを表示する（Ｓ２００７）。
【００８３】
一方、サーバ１０３からレイアウト画面及び完了メッセージを受信していないと判定した場合には、表示処理部１８０７がレイアウト画面及び未完了メッセージを受信したか否かを判定する（Ｓ２００９）。サーバ１０３からレイアウト画面及び未完了メッセージを受信していないと判定した場合には、Ｓ２００５の処理に戻って上述した処理を繰り返す。サーバ１０３からレイアウト画面及び未完了メッセージを受信したと判定した場合には、表示処理部１８０７は、受信したレイアウト画面及び未完了メッセージを表示する（Ｓ２０１１）。表示処理部１８０７は、Ｓ２０１１において、更に管理者に注意を喚起するメッセージを表示するようにしてもよい。そして、管理者端末１０５の処理を終える。
【００８４】
次に、サーバ１０３の処理について説明する。図２１に、実施の形態２におけるサーバ１０３の処理フローを示す。受信部１２０１が点検対象機器に関する所在確認の要求を受信すると（Ｓ２１０１）、選別部１２１１は、選別処理を実行する（Ｓ２１０３）。選別部１２１１は、選別処理において、保守点検期限が間近の機器を選別し、選別された機器に対応する機器ビーコンＩＤが設定された点検対象リストを生成する。
【００８５】
選別処理について説明する前に、実施の形態２における機器テーブルについて説明する。図２２に、実施の形態２における機器テーブルの例を示す。実施の形態２における機器テーブルのレコードには、保守点検期限が設定されている。保守点検期限は、当該機器に関する保守点検を行うべき期限を示す。
【００８６】
選別処理の結果、図２３に例示するように、選別された機器に対応する機器ビーコンＩＤが設定された点検対象リストが生成される。
【００８７】
図２４に、選別処理フローを示す。まず、選別部１２１１は、当日日付に所定日数を加えて基準日を特定する（Ｓ２４０１）。所定日数は、例えば保守点検のための準備期間の日数に相当する。
【００８８】
選別部１２１１は、機器を１つ特定する（Ｓ２４０３）。具体的には、特定部１２０５は、機器テーブルのレコードを１つ特定する。そして、選別部１２１１は、当該レコードから読み取った保守点検期限が基準日より前であるか否かを判定する（Ｓ２４０５）。保守点検期限が基準日より前であれば、例えば当該機器に関する保守点検の準備を始めるべきであることを意味する。
【００８９】
保守点検期限が基準日より前であると判定した場合には、選別部１２１１は、点検対象リストに当該機器に対応する機器ビーコンＩＤを加える（Ｓ２４０７）。一方、保守点検期限が基準日より前でないと判定した場合には、そのまま、Ｓ２４０９の処理に移る。
【００９０】
選別部１２１１は、Ｓ２４０３において未特定の機器があるか否かを判定する（Ｓ２４０９）。未特定の機器があると判定した場合には、Ｓ２４０３に示した処理に戻って、上述した処理を繰り返す。一方、未特定の機器がないと判定した場合には、選別処理を終え、呼び出し元の処理に復帰する。
【００９１】
図２１の説明に戻る。選別部１２１１は、点検対象機器が有ったか否かを判定する（Ｓ２１０５）。つまり、選別部１２１１は、点検対象リストに機器ビーコンＩＤが設定されているか否かを判定する。
【００９２】
点検対象機器が無かったと判定した場合には、Ｓ２１０１に示した処理に戻って、上述した処理を繰り返す。一方、点検対象機器が有ったと判定した場合には、送信部１２０９は、点検対象リストを各携帯端末１０１宛に送信する（Ｓ２１０７）。そして、端子Ｅを介して、図２５に示したＳ２５０１の処理に移る。
【００９３】
携帯端末１０１の処理については、後述する。ここでは、携帯端末１０１が保守対象の機器を検知した場合に、検知通知をサーバ１０３宛に送信するものとする。
【００９４】
図２５の説明に移る。受信部１２０１が携帯端末１０１から、点検対象の機器に対応する機器ビーコンＩＤ及び位置ビーコンＩＤを含む検知通知を受信すると（Ｓ２５０１）、画像生成部１２０７は、検知通知に含まれる機器ビーコンＩＤについて、既に以下に述べるアイコンの貼り付けを行っているか否かを判定する（Ｓ２５０３）。当該機器ビーコンＩＤについて既にアイコンの貼り付けを行っていると判定した場合には、Ｓ２５０１に示した処理に戻って、上述した処理を繰り返す。
【００９５】
当該機器ビーコンＩＤについて未だアイコンの貼り付けを行っていないと判定した場合には、画像生成部１２０７は、アイコン記憶部１２２９において、当該機器ビーコンＩＤに対応する機器のアイコンを特定する（Ｓ２５０５）。そして、画像生成部１２０７は、レイアウト画像記憶部１２２７に記憶されているレイアウト画像における当該設置場所に相当する位置に、当該アイコンを貼り付ける（Ｓ２５０７）。
【００９６】
特定部１２０５は、すべての点検対象の機器が検知されたか否かを判定する。具体的には、特定部１２０５は、点検対象リストに設定されているすべての機器ビーコンＩＤについて、当該機器ビーコンＩＤを含む検知通知を受信したか否かを判定する。
【００９７】
すべての点検対象の機器が検知されたと判定した場合には（Ｓ２５０９：Ｙｅｓルート）、送信部１２０９は、アイコンが貼り付けられたレイアウト画像及び完了メッセージを管理者端末１０５宛に送信する（Ｓ２５１１）。完了メッセージは、点検対象の機器をすべて検知した旨を示す。そして、端子Ｆを介して、図２１に示したＳ２１０１の処理に戻る。
【００９８】
一方、まだ検知されていない点検対象の機器があると判定した場合には（Ｓ２５０９：Ｎｏルート）、特定部１２０５は、所定時間が経過したか否かを判定する（Ｓ２５１３）。所定時間が経過していないと判定した場合には、Ｓ２５０１に示した処理に戻って、上述した処理を繰り返す。当該所定時間は、タイムアウトの基準である。
【００９９】
一方、所定時間が経過したと判定した場合には、送信部１２０９は、アイコンが貼り付けられたレイアウト画像及び未完了メッセージを管理者端末１０５宛に送信する（Ｓ２５１５）。未完了メッセージは、点検対象の機器のうち検知されなかった機器の名称と当該機器が検知されなかった旨を示す。そして、端子Ｆを介して、図２１に示したＳ２１０１の処理に戻る。
【０１００】
最後に、携帯端末１０１の処理について説明する。図２６に、実施の形態２における携帯端末１０１の処理フローを示す。受信部５１１は、サーバ１０３から点検対象リストを受信したか否かを判定する（Ｓ２６０１）。サーバ１０３から点検対象リストを受信したと判定した場合には、受信部５１１は、受信した点検対象リストをリスト記憶部５２１に記憶する（Ｓ２６０３）。このとき、古い点検対象リストは、消去される。一方、サーバ１０３から点検対象リストを受信していないと判定した場合には、そのまま、Ｓ２６０５の処理に移る。
【０１０１】
抽出部５０５は、ビーコン受信部５０３がビーコン信号を受信したか否かを判定する（Ｓ２６０５）。ビーコン受信部５０３がビーコン信号を受信していないと判定した場合には、Ｓ２６０１に示した処理に戻って、上述した処理を繰り返す。
【０１０２】
一方、ビーコン受信部５０３がビーコン信号を受信したと判定した場合には、抽出部５０５は、受信したビーコン信号からビーコンＩＤを抽出する（Ｓ２６０７）。
【０１０３】
抽出部５０５は、抽出したビーコンＩＤが、点検対象リストのうち未だ抽出していない機器ビーコンＩＤに該当するか否かを判定する（Ｓ２６０９）。抽出したビーコンＩＤが点検対象リストにない場合又は抽出したビーコンＩＤが既に抽出されている場合には、Ｓ２６０１に示した処理に戻って、上述した処理を繰り返す。
【０１０４】
一方、抽出したビーコンＩＤが、点検対象リストのうち未だ抽出していない機器ビーコンＩＤに該当する場合には、抽出部５０５は、続いてビーコン受信部５０３がビーコン信号を受信したか否かを判定する（Ｓ２６１１）。ビーコン受信部５０３がビーコン信号を受信していないと判定した場合には、Ｓ２６１１の処理を繰り返す。
【０１０５】
ビーコン受信部５０３がビーコン信号を受信したと判定した場合には、抽出部５０５は、受信したビーコン信号からビーコンＩＤを抽出する（Ｓ２６１３）。そして、抽出部５０５は、位置ビーコンリストに基づいて、抽出したビーコンＩＤが位置ビーコンＩＤであるか否かを判定する（Ｓ２６１５）。抽出したビーコンＩＤが位置ビーコンＩＤでないと判定した場合には、Ｓ２６１１に示した処理に戻って、上述した処理を繰り返す。
【０１０６】
一方、抽出したビーコンＩＤが位置ビーコンＩＤであると判定した場合には、送信部５０９は、点検対象の機器に対応する機器ビーコンＩＤ（Ｓ２６０９において未だ抽出していない機器ビーコンＩＤであると判定したＩＤ）及び当該位置ビーコンＩＤを含む検知通知をサーバ１０３宛に送信する（Ｓ２６１７）。携帯端末１０１は、このとき通知音を出力し、点検対象の機器を検知した旨のメッセージを表示するようにしてもよい。このようにすれば、例えば職員が使用しようとしている機器が点検対象であることを、当該職員に知らせることができる。そして、Ｓ２６０１に戻って、上述した処理を繰り返す。
【０１０７】
本実施の形態によれば、保守点検期限が間近な確認対象の所在を把握しやすくなる。
【０１０８】
尚、上述した例では、レイアウト画像によって機器の所在を表したが、例えば機器の名称と所定場所の名称とを対応付けたリストによって機器の所在を表すようにしてもよい。
【０１０９】
また、管理対象として機器の例を示したが、機器以外の物を管理対象としてもよい。例えば人物や動物を管理対象としてもよい。
【０１１０】
また、施設内に限らず、野外において本実施の形態を適用するようにしてもよい。
【０１１１】
また、図１２に示したモジュールを携帯端末１０１に設けて、図２１乃至図２５を用いて説明したサーバ１０３の処理と同等の処理を、携帯端末１０１が実行するようにしてもよい。更に、図１２に示したモジュールを管理者端末１０５に設けて、図２１乃至図２５を用いて説明したサーバ１０３の処理と同等の処理を、管理者端末１０１が実行するようにしてもよい。
【０１１２】
以上本発明の実施の形態を説明したが、本発明はこれに限定されるものではない。例えば、上述の機能ブロック構成はプログラムモジュール構成に一致しない場合もある。
【０１１３】
また、上で説明した各記憶領域の構成は一例であって、上記のような構成でなければならないわけではない。さらに、処理フローにおいても、処理結果が変わらなければ、処理の順番を入れ替えることや複数の処理を並列に実行させるようにしても良い。
【０１１４】
なお、上で述べたサーバ１０３及び管理者端末１０５は、コンピュータ装置であって、図２７に示すように、メモリ２５０１とＣＰＵ２５０３とハードディスク・ドライブ（ＨＤＤ：Hard Disk Drive）２５０５と表示装置２５０９に接続される表示制御部２５０７とリムーバブル・ディスク２５１１用のドライブ装置２５１３と入力装置２５１５とネットワークに接続するための通信制御部２５１７とがバス２５１９で接続されている。オペレーティング・システム（ＯＳ：Operating System）及び本実施例における処理を実施するためのアプリケーション・プログラムは、ＨＤＤ２５０５に格納されており、ＣＰＵ２５０３により実行される際にはＨＤＤ２５０５からメモリ２５０１に読み出される。ＣＰＵ２５０３は、アプリケーション・プログラムの処理内容に応じて表示制御部２５０７、通信制御部２５１７、ドライブ装置２５１３を制御して、所定の動作を行わせる。また、処理途中のデータについては、主としてメモリ２５０１に格納されるが、ＨＤＤ２５０５に格納されるようにしてもよい。本発明の実施例では、上で述べた処理を実施するためのアプリケーション・プログラムはコンピュータ読み取り可能なリムーバブル・ディスク２５１１に格納されて頒布され、ドライブ装置２５１３からＨＤＤ２５０５にインストールされる。インターネットなどのネットワーク及び通信制御部２５１７を経由して、ＨＤＤ２５０５にインストールされる場合もある。このようなコンピュータ装置は、上で述べたＣＰＵ２５０３、メモリ２５０１などのハードウエアとＯＳ及びアプリケーション・プログラムなどのプログラムとが有機的に協働することにより、上で述べたような各種機能を実現する。
【０１１５】
管理者端末１０５は、図３に示した携帯端末１０１と同様の装置であってもよい。更に、管理者端末１０５は、上述した携帯端末１０１の処理を行うものであってもよい。
【０１１６】
以上述べた本発明の実施の形態をまとめると、以下のようになる。
【０１１７】
本実施の形態に係る所在管理システムは、携帯端末と、情報処理装置とを含む。上記携帯端末は、周囲から受信した第１ビーコン信号から、管理対象に付された送信機の第１ビーコンＩＤ（IDentifier）を抽出する抽出部と、第１ビーコンＩＤを抽出した場合に、周囲から受信した第２ビーコン信号から抽出した、所定場所に設置された送信機の第２ビーコンＩＤと、第１ビーコンＩＤとを含む情報を、上記情報処理装置宛に送信する送信部とを有する。また、上記情報処理装置は、上記情報を受信する受信部と、受信した上記情報に含まれる第１ビーコンＩＤに基づいて特定される管理対象と、受信した上記情報に含まれる第２ビーコンＩＤに基づいて特定される所定場所とを表すデータを出力する出力部とを有する。
【０１１８】
このようにすれば、管理対象の所在を把握しやすくなる。
【０１１９】
更に、本実施の形態に係る所在管理システムは、携帯端末と、情報処理装置とを含む。上記携帯端末は、周囲から受信した第１ビーコン信号から、複数の所定場所に設置された送信機の第１ビーコンＩＤ（IDentifier）のいずれにも該当しない第２ビーコンＩＤを抽出する抽出部と、第２ビーコンＩＤを抽出した場合に、周囲から受信した第２ビーコン信号から抽出した第１ビーコンＩＤと、第２ビーコンＩＤとを含む情報を、上記情報処理装置宛に送信する送信部とを有する。また、上記情報処理装置は、上記情報を受信する受信部と、受信した上記情報に含まれる第２ビーコンＩＤの送信機が付された管理対象を特定する特定部と、受信した上記情報に含まれる第１ビーコンＩＤに基づいて特定される所定場所と管理対象とを表すデータを出力する出力部とを有する。
【０１２０】
このようにすれば、管理対象の所在を把握しやすくなる。
【０１２１】
更に、本実施の形態に係る所在管理システムは、携帯端末と、情報処理装置とを含む。上記情報処理装置は、確認対象に付された送信機の第１ビーコンＩＤ（IDentifier）を含む確認要求を上記携帯端末宛に送信する送信部を有する。上記携帯端末は、確認要求を受信する受信部と、周囲から受信したビーコン信号から、確認要求に含まれる第１ビーコンＩＤを抽出する抽出部と、第１ビーコンＩＤを抽出した場合に、周囲から受信したビーコン信号から抽出した、所定場所に設置された送信機の第２ビーコンＩＤを含む情報を、上記情報処理装置宛に送信する送信部とを有する。また、上記情報処理装置は、更に、上記情報を受信する受信部と、受信した上記情報に含まれる第２ビーコンＩＤに基づいて特定される所定場所を表すデータを出力する出力部とを有する。
【０１２２】
このようにすれば、任意の確認対象の所在を把握しやすくなる。
【０１２３】
また、上記情報処理装置は、更に、保守点検期限に基づいて前記確認対象を選別する選別部を有するようにしてもよい。
【０１２４】
このようにすれば、保守点検対象の所在を把握しやすくなる。
【０１２５】
なお、上で述べた携帯端末の処理及び情報処理装置の処理をコンピュータ又はプロセッサに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【０１２６】
以上の実施例を含む実施形態に関し、さらに以下の付記を開示する。
【０１２７】
（付記１）
携帯端末と、情報処理装置とを含む所在管理システムであって、
前記携帯端末は、
周囲から受信した第１ビーコン信号から、管理対象に付された送信機の第１ビーコンＩＤ（IDentifier）を抽出する抽出部と、
前記第１ビーコンＩＤを抽出した場合に、周囲から受信した第２ビーコン信号から抽出した、所定場所に設置された送信機の第２ビーコンＩＤと、前記第１ビーコンＩＤとを含む情報を、前記情報処理装置宛に送信する送信部と
を有し、
前記情報処理装置は、
前記情報を受信する受信部と、
受信した前記情報に含まれる前記第１ビーコンＩＤに基づいて特定される前記管理対象と、受信した前記情報に含まれる前記第２ビーコンＩＤに基づいて特定される前記所定場所とを表すデータを出力する出力部と
を有する所在管理システム。
【０１２８】
（付記２）
携帯端末と、情報処理装置とを含む所在管理システムであって、
前記携帯端末は、
周囲から受信した第１ビーコン信号から、複数の所定場所に設置された送信機の第１ビーコンＩＤ（IDentifier）のいずれにも該当しない第２ビーコンＩＤを抽出する抽出部と、
前記第２ビーコンＩＤを抽出した場合に、周囲から受信した第２ビーコン信号から抽出した前記第１ビーコンＩＤと、前記第２ビーコンＩＤとを含む情報を、前記情報処理装置宛に送信する送信部と
を有し、
前記情報処理装置は、
前記情報を受信する受信部と、
受信した前記情報に含まれる前記第２ビーコンＩＤの送信機が付された管理対象を特定する特定部と、
受信した前記情報に含まれる前記第１ビーコンＩＤに基づいて特定される前記所定場所と前記管理対象とを表すデータを出力する出力部と
を有する所在管理システム。
【０１２９】
（付記３）
携帯端末と、情報処理装置とを含む所在管理システムであって、
前記情報処理装置は、
確認対象に付された送信機の第１ビーコンＩＤ（IDentifier）を含む確認要求を前記携帯端末宛に送信する送信部
を有し、
前記携帯端末は、
前記確認要求を受信する受信部と、
周囲から受信したビーコン信号から、前記確認要求に含まれる前記第１ビーコンＩＤを抽出する抽出部と、
前記第１ビーコンＩＤを抽出した場合に、周囲から受信したビーコン信号から抽出した、所定場所に設置された送信機の第２ビーコンＩＤを含む情報を、前記情報処理装置宛に送信する送信部と
を有し、
前記情報処理装置は、更に、
前記情報を受信する受信部と、
受信した前記情報に含まれる前記第２ビーコンＩＤに基づいて特定される前記所定場所を表すデータを出力する出力部と
を有する所在管理システム。
【０１３０】
（付記４）
前記情報処理装置は、更に、
保守点検期限に基づいて前記確認対象を選別する選別部
を有する付記３記載の所在管理システム。
【０１３１】
（付記５）
周囲から受信した第１ビーコン信号から、管理対象に付された送信機の第１ビーコンＩＤ（IDentifier）を抽出し、
前記第１ビーコンＩＤを抽出した場合に、周囲から受信した第２ビーコン信号から抽出した、所定場所に設置された送信機の第２ビーコンＩＤと、前記第１ビーコンＩＤとを含む情報を、情報処理装置宛に送信する
処理をプロセッサに実行させるプログラム。
【０１３２】
（付記６）
周囲から受信した第１ビーコン信号から、複数の所定場所に設置された送信機の第１ビーコンＩＤ（IDentifier）のいずれにも該当しない第２ビーコンＩＤを抽出し、
前記第２ビーコンＩＤを抽出した場合に、周囲から受信した第２ビーコン信号から抽出した前記第１ビーコンＩＤと、前記第２ビーコンＩＤとを含む情報を、情報処理装置宛に送信する
処理をプロセッサに実行させるプログラム。
【０１３３】
（付記７）
第１ビーコンＩＤ（IDentifier）と第２ビーコンＩＤとを含む情報を受信し、
受信した前記情報に含まれる前記第１ビーコンＩＤに基づいて特定される管理対象と、受信した前記情報に含まれる前記第２ビーコンＩＤに基づいて特定される所定場所とを表すデータを出力する
処理をコンピュータに実行させるプログラム。
【符号の説明】
【０１３４】
１０１  携帯端末
１０３  サーバ
１０５  管理者端末
２０１  ビーコン送信機
５０１  制御部
５０３  ビーコン受信部
５０５  抽出部
５０７  生成部
５０９  送信部
５１１  受信部
５２１  リスト記憶部
５２３  検知結果記憶部
１２０１  受信部
１２０３  記録処理部
１２０５  特定部
１２０７  画像生成部
１２０９  送信部
１２１１  選別部
１２２１  配置記憶部
１２２３  機器記憶部
１２２５  検知履歴記憶部
１２２７  レイアウト画像記憶部
１２２９  アイコン記憶部
１８０１  受付部
１８０３  送信部
１８０５  受信部
１８０７  表示処理部
【図１】
2019075674.tif 000003
【図２】
2019075674.tif 000004
【図３】
2019075674.tif 000005
【図４】
2019075674.tif 000006
【図５】
2019075674.tif 000007
【図６】
2019075674.tif 000008
【図７】
2019075674.tif 000009
【図８】
2019075674.tif 000010
【図９】
2019075674.tif 000011
【図１０】
2019075674.tif 000012
【図１１】
2019075674.tif 000013
【図１２】
2019075674.tif 000014
【図１３】
2019075674.tif 000015
【図１４】
2019075674.tif 000016
【図１５】
2019075674.tif 000017
【図１６】
2019075674.tif 000018
【図１７】
2019075674.tif 000019
【図１８】
2019075674.tif 000020
【図１９】
2019075674.tif 000021
【図２０】
2019075674.tif 000022
【図２１】
2019075674.tif 000023
【図２２】
2019075674.tif 000024
【図２３】
2019075674.tif 000025
【図２４】
2019075674.tif 000026
【図２５】
2019075674.tif 000027
【図２６】
2019075674.tif 000028
【図２７】
2019075674.tif 000029